(57)【要約】【課題】  ブラシ部を中央ブラシ部と周辺ブラシ部との二重構成とすることで、コシを持たせた中央ブラシ部で目の際やアイラインをスムーズに描けるようにし、柔らかさに優れる周辺ブラシ部でアイシャドーのぼかし塗りを行えるようにしたアイシャドーブラシを一本にまとめたものを提供する。【解決手段】  アイシャドーブラシ１０は、管状体１１の先端部１２に刷毛を取り付けてブラシ部１３を形成し、管状体１１の基端部１４に柄１５を設け、ブラシ部１３の先端を先細状に形成し、中央ブラシ部１７にコシを持たせるように毛組をしたものである。ブラシ部１３の中央ブラシ部１７を、松りすとイタチの毛とをそれぞれ５０％ずつ混合したコシのある混毛とし、中央ブラシ部１７の周囲の周辺ブラシ部１８を、松りす１００％の比較的柔らかい毛としたものである。【選択図】      図１
2006075329.tif 000002
【特許請求の範囲】
【請求項１】
管状体の先端部に刷毛を植設してブラシ部を形成し、管状体の基端部に柄を設けたアイシャドーブラシにおいて、
前記ブラシ部を中央ブラシ部と周辺ブラシ部との二重構成とし、ブラシ部の先端部を先細状に形成し、中央ブラシ部にコシを持たせるように毛組をしたことを特徴とするアイシャドーブラシ。
【請求項２】
前記ブラシ部の中央ブラシ部を松りすとイタチの毛とをそれぞれ５０％ずつ混合した混毛とし、該中央ブラシ部の周囲の周辺ブラシ部を松りす１００％の毛としたことを特徴とする請求項１に記載のアイシャドーブラシ。
【請求項３】
前記ブラシ部の中央ブラシ部をイタチの毛５０％、灰りすの毛５０％とし、該中央ブラシ部の周囲の周辺ブラシ部を灰りすの毛としたことを特徴とする請求項１に記載のアイシャドーブラシ。
【発明の詳細な説明】
【技術分野】
【０００１】
本発明はアイシャドーブラシに係り、さらに詳しくは、管状体の先端部に刷毛を植設してブラシ部を形成し、管状体の基端部に設けた柄を掴んでブラシ部の先端部で目の際やアイラインをスムーズに描けるようにしたアイシャドーブラシに関する。
【背景技術】
【０００２】
従来より、目の際やアイラインを描くためにアイシャドーブラシが使用されている。このアイシャドーブラシは、通常、管状体の先端部に刷毛を植設してブラシ部を形成し、管状体の基端部に柄が設けられている（例えば、特許文献１参照）。
【特許文献１】特開平１０−２９５４４１号公報  また、アイシャドーブラシのなかには、管状体の先端部に植設する刷毛として、複数種の毛を均一に混毛したものもある。
【発明の開示】
【発明が解決しようとする課題】
【０００３】
ところで、アイシャドーブラシとしては、目の際のアイライン等を専用とするブラシ（一般的にイタチの毛等，コシのある毛を使用したもの）と、ふんわりとぼかすことを専用とするブラシ（一般的に灰りすや松りすの毛等，柔らかな感触のある毛を使用したもの）の二種が必要となる。
【０００４】
しかしながら、これらの二種のアイシャドーブラシを別々に用意すると、この二種を使い分ける際に持ち替えたり、一方をバッグ内に収納したりと手間のかかることがあった。
【０００５】
この発明は、ブラシ部を中央ブラシ部と周辺ブラシ部との二重構成とすることで、コシを持たせた中央ブラシ部で目の際やアイラインをスムーズに描けるようにし、柔らかさに優れる周辺ブラシ部でアイシャドーのぼかし塗りを行えるようにしたアイシャドーブラシを一本にまとめたものを提供して、上述した全ての問題点を解消しようとするものである。
【課題を解決するための手段】
【０００６】
上記目的を達成するために、請求項１記載の発明は、管状体の先端部に刷毛を植設してブラシ部を形成し、管状体の基端部に柄を設けたアイシャドーブラシにおいて、前記ブラシ部を中央ブラシ部と周辺ブラシ部との二重構成とし、ブラシ部の先端部を先細状に形成し、中央ブラシ部にコシを持たせるように毛組をしたことを特徴とする。
【０００７】
ブラシ部を中央ブラシ部と周辺ブラシ部との二重構成とし、ブラシ部の先端部を先細状に形成し、中央ブラシ部にコシを持たせるように毛組をしたので、先端部を肌に沿わせながら、所望の強さで肌に押し付けることが可能となり、この中央ブラシ部の先端部で目の際やアイラインを描くことが容易となった。
【０００８】
一方、中央ブラシ部を囲う周辺ブラシ部の毛には、ある程度の柔らかさを持たせたので、周辺ブラシ部は肌にやさしいブラシ部となり、この周辺ブラシ部でアイシャドーのぼかし塗りを行えるようにした。
【０００９】
請求項２は、前記ブラシ部の中央ブラシ部を松りすとイタチの毛とをそれぞれ５０％ずつ混合した混毛とし、該中央ブラシ部の周囲の周辺ブラシ部を松りす１００％の毛としたことを特徴とする。
【００１０】
ブラシ部の中央ブラシ部を松りすとイタチの毛とをそれぞれ５０％ずつ混合することで、中央ブラシ部に適度のコシを持たせることが可能となった。
【００１１】
請求項３は、前記ブラシ部の中央ブラシ部をイタチの毛５０％、灰りすの毛５０％とし、該中央ブラシ部の周囲の周辺ブラシ部を灰りすの毛としたことを特徴とする。
【００１２】
ブラシ部の中央ブラシ部をイタチの毛５０％、灰りすの毛５０％で構成することで、中央ブラシ部に適度のコシを持たせることが可能となった。
【発明の効果】
【００１３】
請求項１乃至３に係る発明では、ブラシ部の先端部を先細状に形成し、ブラシ部の中央ブラシ部にコシを持たせるように毛組をすることで、コシのある中央ブラシ部で目の際やアイラインをスムーズに描けるという利点がある。
【発明を実施するための最良の形態】
【００１４】
以下添付図面に基づいて、本発明に係るアイシャドーブラシの一実施の形態を詳説する。
図１は本発明に係るアイシャドーブラシの第１実施の形態を示す平面図、図２は同側面図、図３は図１のＡ−Ａ線断面図、図４は本発明に係るアイシャドーブラシの第２実施の形態を示す側面図、図５は図４のＢ−Ｂ線断面図である。
【００１５】
まず本発明に係るアイシャドーブラシを製造するに際しては、刷毛の材料となる各種の毛を準備（混毛する場合は、その混毛割合のものを準備する）し、穂先形状を整えるためにつぼと称する型を利用して整形し（つぼ入れ）、この毛をつぼから取り出してのりでかため、その長さを調整した後、中央ブラシ部１７と、周辺ブラシ部１８とを準備する。
【００１６】
ついで、周辺ブラシ部１８の中央付近をドリルで穴あけし、その穴の中に中央ブラシ部１７をセットしてブラシ部１３を完成させ、その状態のブラシ部１３をのりで固め、これを口金にセットしてアイシャドーブラシ１０を得るものである。
このため、ブラシ部１３の先端部１６は先細状に形成されている。
【００１７】
図１〜図３に示すように、第１実施の形態のアイシャドーブラシ１０は、アルミ製の管状体１１の先端部１２に上記のブラシ部１３を取付け、管状体１１の基端部１４に柄１５を設けたもので、中央ブラシ部１７にコシを持たせるように毛組をしたものである。
柄１５は、例えば黒檀ツヤ無しの円柱状のロッドで、表面にクリア塗装を施したものである。
【００１８】
管状体１１の先端部１２を断面扁平状に形成することにより、図３に示すようにブラシ部１３の断面を扁平状に形成することができる。またブラシ部１３の先端部１６を先細状に形成することで、ブラシ部１３全体を剣状に形成できる。
このアイシャドーブラシ１０は、フラットタイプの熊野化粧筆である。
【００１９】
このブラシ部１３の、中央ブラシ部１７には、松りすとイタチの毛とをそれぞれ５０％ずつ混合したコシのある混毛を使用し、中央ブラシ部１７の周囲の周辺ブラシ部１８には、松りす１００％の比較的柔らかい毛を使用することが好ましい。
【００２０】
このように構成することで、ブラシ部１３の中央ブラシ部１７の先端で目の際やアイラインを描きやすくし、先端部１４の中央ブラシ部１７を使用者の肌に沿わせながら、所望の強さで肌に押し付けて、目の際やアイラインをスムーズに描けるようにしている。
【００２１】
つぎに中央ブラシ部１７を覆う周囲の周辺ブラシ部１８の毛に、松りすの毛１００％の比較的柔らかい毛を用いると、特に柔らかさを持たせることが可能になり、ふんわりとぼかすような使用に適したアイシャドーブラシとなる。
【００２２】
ブラシ部１３の中央ブラシ部１７を松りすとイタチの毛とをそれぞれ５０％ずつ混合すると、中央ブラシ部１７に所望のコシを持たせることが可能となる。
【００２３】
ついで、図４〜図５に基づいて第２実施の形態のアイシャドーブラシ２０を説明する。なお、第２実施の形態のアイシャドーブラシ２０において第１実施の形態のアイシャドーブラシ１０と同一類似の部材については、同一符号を付して説明を省略する。
【００２４】
図４〜図５に示すように、第２実施の形態のアイシャドーブラシ２０は、アルミ製の管状体２１の先端部２２を断面円形に形成してブラシ部２４を断面円形に形成したもので、その他の構成は第１実施の形態のアイシャドーブラシ１０と同様である。
【００２５】
図５に示すように、ブラシ部２４の断面を円形に形成し、ブラシ部２４を先細状に形成することで、ブラシ部２４をペンシル状の先端に形成することができる。
管状体２１の基端部２３には柄１５を設ける。
このアイシャドーブラシ２０は、スティックタイプの熊野化粧筆である。
【００２６】
このブラシ部２４の中央ブラシ部２６を、イタチの毛５０％、灰りすの毛５０％のコシを有する毛とし、中央ブラシ部の周囲の周辺ブラシ部２７を、灰りすの毛１００％の比較的柔らかい毛としている。
これにより、ペンシル状に形成されたブラシ部２４の先端部２５のうち、特に影響の大きい中央ブラシ部２６を、コシのある毛で形成している。
【００２７】
第２実施の形態のアイシャドーブラシ２０によれば、第１実施の形態のアイシャドーブラシ１０と同様の効果を得ることができる。
すなわち、ブラシ部２４の中央ブラシ部２６で目の際やアイラインを描きやすくし、中央ブラシ部２６を使用者の肌に沿わせながら、所望の強さで使用者の肌に押し付けることで、目の際やアイラインをスムーズに描けるようにしている。
【００２８】
また、中央ブラシ部２６を覆う周囲の周辺ブラシ部２７の毛に、灰りすの毛１００％の比較的柔らかい毛を用いると柔らかさを持たせることが可能になり、この部分を使用してアイシャドーのぼかし塗りが容易に行えるようになる。
【００２９】
また、ブラシ部２４の中央ブラシ部２６をイタチの毛５０％、灰りすの毛５０％で構成すると、特に使い勝手の良いアイシャドーブラシを形成することができる。
【００３０】
なお、前記実施の形態で示したブラシ部１３，２４の毛は、一例を示したものであり、このブラシ部１３，２４の毛として用いたイタチの毛、松りす、灰りすの毛は適宜変更することも可能である。
さらに、前記実施の形態では、ブラシ部１３，２４を断面扁平状や円形状のものを例に説明したが、ブラシ部１３，２４の断面形状は適宜変更することも可能である。
【図面の簡単な説明】
【００３１】
【図１】本発明に係るアイシャドーブラシの第１実施の形態を示す平面図である。
【図２】同側面図である。
【図３】図１のＡ−Ａ線断面図である。
【図４】本発明に係るアイシャドーブラシの第２実施の形態を示す側面図である。
【図５】図４のＢ−Ｂ線断面図である。
【符号の説明】
【００３２】
１０，２０…アイシャドーブラシ
１１，２１…管状体
１２，２２…管状体の先端部
１３，２４…ブラシ部
１４，２３…管状体の基端部
１５…柄
１６，２５…ブラシ部の先端部
１７，２６…中央ブラシ部
１８，２７…周辺ブラシ部
【図１】
2006075329.tif 000003
【図２】
2006075329.tif 000004
【図３】
2006075329.tif 000005
【図４】
2006075329.tif 000006
【図５】
2006075329.tif 000007